【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  ポリトリメチレンエーテルエステルアミド。
【請求項２】  平均モル質量３００〜５，０００を有するポリアミドハードセグメントと、平均モル質量８００〜５，０００を有するポリトリメチレンエーテルソフトセグメントと、を含むことを特徴とする請求項１に記載のポリトリメチレンエーテルエステルアミド。
【請求項３】  前記ポリアルキレンエーテルエステルアミド繰り返し単位の８５〜１００重量％が、ポリトリメチレンエーテルエステルアミド繰り返し単位であることを特徴とする請求項１または２に記載のポリトリメチレンエーテルエステルアミド。
【請求項４】  ポリアミドハードセグメント約１０重量％から約６０重量％と、ポリトリメチレンエーテルソフトセグメント約４０重量％から約９０重量％と、を含有することを特徴とする請求項１から３のいずれか一項に記載のポリトリメチレンエーテルエステルアミド。
【請求項５】  エステル結合が形成するような条件下にてカルボキシル末端ポリアミドまたは二酸無水物、二酸塩化物またはそのジエステル酸相当物と、ポリトリメチレンエーテルグリコールとを反応させることによって調製されるポリトリメチレンエーテルソフトセグメントにエステル結合によって結合された、ポリアミドハードセグメントを含むことを特徴とする請求項１から４のいずれか一項に記載のポリトリメチレンエーテルエステルアミド。
【請求項６】  以下の式（Ｉ）：
【化１】
2005511834.tif 000001
（式中、
【化２】
2005511834.tif 000002
は、カルボキシル末端基またはその酸相当物を含有するポリアミドセグメントを表し、
【化３】
2005511834.tif 000003
は、ポリエーテルセグメントであり、Ｘは５〜平均約６０までであり、かつポリエーテルセグメントの少なくとも７５重量％がポリトリメチレンエーテル単位を含む）によって表される一般構造を有することを特徴とする請求項１から５のいずれか一項に記載のポリトリメチレンエーテルエステルアミド。
【請求項７】  請求項１から６のいずれか一項に記載のポリトリメチレンエーテルエステルアミドを含有する造形物品。
【手続補正２】
【補正対象書類名】明細書
【補正対象項目名】００７９
【補正方法】変更
【補正の内容】
【００７９】
本発明の特定の実施形態を上述の説明において述べているが、本発明の範囲または本質的な属性から逸脱することなく、非常に多くの修正形態、置換および再編成を行うことができることは、当業者であれば理解されよう。本発明の範囲を示す場合には、上述の明細書よりもむしろ、添付の特許請求の範囲を参照すべきである。
以下に、本発明の好ましい態様を示す。
１．  ポリトリメチレンエーテルエステルアミド。
２．  平均モル質量３００〜５，０００を有するポリアミドハードセグメントと、平均モル質量８００〜５，０００を有するポリトリメチレンエーテルソフトセグメントと、を含むことを特徴とする１．に記載のポリトリメチレンエーテルエステルアミド。
３．  平均モル質量４００〜３，０００を有するポリアミドハードセグメントと、平均モル質量１，５００〜３，５００を有するポリトリメチレンエーテルソフトセグメントと、を含むことを特徴とする１．に記載のポリトリメチレンエーテルエステルアミド。
４．  １個〜平均約６０個までのポリアルキレンエーテルエステルアミド繰り返し単位を含むことを特徴とする１．〜３．のいずれか一項に記載のポリトリメチレンエーテルエステルアミド。
５．  平均約５個〜約３０個のポリアルキレンエーテルエステルアミド繰り返し単位を含むことを特徴とする４．に記載のポリトリメチレンエーテルエステルアミド。
６．  前記ポリアルキレンエーテルエステルアミド繰り返し単位の少なくとも５０重量％が、ポリトリメチレンエーテルエステルアミド繰り返し単位であることを特徴とする１．〜５．のいずれか一項に記載のポリトリメチレンエーテルエステルアミド。
７．  ポリアミドハードセグメント約１０重量％から約６０重量％と、ポリトリメチレンエーテルソフトセグメント約４０重量％から約９０重量％と、を含有することを特徴とする１．〜５．のいずれか一項に記載のポリトリメチレンエーテルエステルアミド。
８．  ポリアミドハードセグメント約１５重量％から約３０重量％と、ポリトリメチレンエーテルソフトセグメント約７０重量％から約８５重量％と、を含有することを特徴とする７．に記載のポリトリメチレンエーテルエステルアミド。
９．  エステル結合が形成するような条件下にてカルボキシル末端ポリアミドまたは二酸無水物、二酸塩化物またはそのジエステル酸相当物と、ポリエーテルグリコールとを反応させることによって調製されるポリトリメチレンエーテルソフトセグメントにエステル結合によって結合された、ポリアミドハードセグメントを含むことを特徴とする１．〜８．のいずれか一項に記載のポリトリメチレンエーテルエステルアミド。
１０．  エステル結合が形成するような条件下にてカルボキシル末端ポリアミドと、ポリトリメチレンエーテルグリコールとを反応させることによって調製されるポリトリメチレンエーテルソフトセグメントにエステル結合によって結合された、ポリアミドハードセグメントを含むことを特徴とする１．〜８．のいずれか一項に記載のポリトリメチレンエーテルエステルアミド。
１１．  前記カルボキシル末端ポリアミドが、Ｃ4〜Ｃ14ラクタムとＣ4〜Ｃ14ジカルボン酸との重縮合生成物であることを特徴とする１０．に記載のポリトリメチレンエーテルエステルアミド。
１２．  前記カルボキシル末端ポリアミドが、ラウリルラクタム、カプロラクタムおよびウンデカノラクタムならびにそれらの混合物からなる群より選択されるラクタムと、コハク酸、アジピン酸、スベリン酸、アゼライン酸、セバシン酸、ウンデカン二酸、ドデカン二酸、テレフタル酸、およびイソフタル酸ならびにそれらの混合物からなる群より選択されるジカルボン酸との重縮合生成物であることを特徴とする１０．に記載のポリトリメチレンエーテルエステルアミド。
１３．  前記カルボキシル末端ポリアミドが、１１−アミノ−ウンデカン酸および１２−アミノドデカン酸ならびにそれらの混合物からなる群より選択されるアミノ酸と、コハク酸、アジピン酸、スベリン酸、アゼライン酸、セバシン酸、ウンデカン二酸、ドデカン二酸、テレフタル酸およびイソフタル酸ならびにそれらの混合物からなる群より選択されるジカルボン酸との重縮合生成物であることを特徴とする１０．に記載のポリトリメチレンエーテルエステルアミド。
１４．  前記カルボキシル末端ポリアミドが、Ｃ4〜Ｃ14アルキルジカルボン酸とＣ4〜14ジアミンとの縮合生成物であることを特徴とする１０．に記載のポリトリメチレンエーテルエステルアミド。
１５．  以下の式（Ｉ）：
【化４】
2005511834.tif 000004
（式中、
【化５】
2005511834.tif 000005
は、カルボキシル末端基またはその酸相当物を含有するポリアミドセグメントを表し、
【化６】
2005511834.tif 000006
は、ポリエーテルセグメントであり、Ｘは１〜平均約６０までであり、かつポリエーテルセグメントの少なくとも４０重量％がポリトリメチレンエーテル単位を含む）によって表される一般構造を有することを特徴とする１．に記載のポリトリメチレンエーテルエステルアミド。
１６．  以下の式（Ｉ）：
【化７】
2005511834.tif 000007
（式中、
【化８】
2005511834.tif 000008
は、カルボキシル末端基またはその酸相当物を含有するポリアミドセグメントを表し、
【化９】
2005511834.tif 000009
は、ポリトリメチレンエーテルセグメントであり、Ｘは１〜平均約６０までである）によって表される一般構造を有することを特徴とする１．に記載のポリトリメチレンエーテルエステルアミド。
１７．  １．〜１６．のいずれか一項に記載のポリトリメチレンエーテルエステルアミドを含有する造形物品。